(57)【特許請求の範囲】
【請求項１】
原稿台上に載置された原稿の画像データに対応したプレビュー画像を予め設定された表示向きで表示するプレビュー画像画面と、当該画像データを利用した機能を実現するための所定の設定項目キーを表示する設定項目画面とをタッチパネル上に表示する操作装置において、
前記プレビュー画像の表示向きを規定するとともに、前記原稿台上に載置された原稿の上辺の方向を示す向き設定情報を記憶する向き設定情報記憶手段と、
前記向き設定情報に対応する表示向きで前記プレビュー画像を前記プレビュー画像画面に表示するプレビュー画像表示手段と、
前記プレビュー画像が所定の表示向きでプレビュー画像画面に表示される際に、前記向き設定情報記憶手段から前記向き設定情報を取得する向き設定情報取得手段と、
前記プレビュー画像画面に、前記取得された向き設定情報をタブキーとして選択可能に表示するタブ表示受付手段と、
前記表示されるプレビュー画像の表示向きに対応する向き設定情報のタブキーを、前記プレビュー画像画面と同一画面になるように表示する表示調整手段と
を備えることを特徴とする操作装置。
【請求項２】
前記向き設定情報記憶手段は、前記原稿台上に載置された原稿の上辺の方向が上方向である第一の向き設定情報と、前記原稿台上に載置された原稿の上辺の方向が左方向である第二の向き設定情報とを記憶し、
前記プレビュー画像表示手段は、前記第一の向き設定情報と第二の向き設定情報のうち、予め設定された向き設定情報に対応する表示向きで前記プレビュー画像を前記プレビュー画像画面に表示し、
前記向き設定情報取得手段は、前記第一の向き設定情報と第二の向き設定情報とを取得し、
前記タブ表示受付手段は、前記プレビュー画像画面に、前記第一の向き設定情報と第二の向き設定情報とをタブキーとして選択可能に表示し、
更に、前記タブ表示受付手段が、ユーザから所定のタブキーの選択を受け付けると、選択されたタブキーの向き設定情報に対応する表示向きに、前記プレビュー画像の表示向きを変更する表示向き変更手段を備える
請求項１に記載の操作装置。
【請求項３】
更に、前記プレビュー画像が所定の表示向きで前記プレビュー画像画面に表示されている場合に、ユーザにより所定の設定項目キーが選択されると、当該選択された設定項目キーの設定条件を示す選択項目キーのうち、前記プレビュー画像の表示向きに適合する選択項目キーを、他の選択項目キーと比較してユーザにより優先的に選択されやすい位置に表示し、前記プレビュー画像の表示向きを、所定の機能が実現される場合の画像データの向きとして受け付ける画面表示受付手段を備える
請求項１又は２に記載の操作装置。
【請求項４】
前記設定項目キーは、集約、パンチ／ステープルのいずれかの後処理の機能を実現するためのキーを含む
請求項１−３のいずれか一項に記載の操作装置。
【請求項５】
請求項１−４のいずれか一項に記載の操作装置を備えた画像形成装置。
【請求項６】
原稿台上に載置された原稿の画像データに対応したプレビュー画像を予め設定された表示向きで表示するプレビュー画像画面と、当該画像データを利用した機能を実現するための所定の設定項目キーを表示する設定項目画面とをタッチパネル上に表示する操作装置の操作方法において、
前記プレビュー画像の表示向きを規定するとともに、前記原稿台上に載置された原稿の上辺の方向を示す向き設定情報に対応する表示向きで前記プレビュー画像を前記プレビュー画像画面に表示するプレビュー画像表示ステップと、
前記プレビュー画像が所定の表示向きでプレビュー画像画面に表示される際に、前記向き設定情報を記憶する向き設定情報記憶手段から当該向き設定情報を取得する向き設定情報取得ステップと、
前記プレビュー画像画面に、前記取得された向き設定情報をタブキーとして選択可能に表示するタブ表示受付ステップと、
前記表示されるプレビュー画像の表示向きに対応する向き設定情報のタブキーを、前記プレビュー画像画面と同一画面になるように表示する表示調整ステップと
を含むことを特徴とする操作方法。
【発明の詳細な説明】
【技術分野】
【０００１】
本発明は、操作装置及び操作方法に関し、詳しくは、プレビュー画像の表示向きを容易に確認することが可能であり、ユーザの操作性を向上させることが可能な操作装置及び操作方法に関する。
【背景技術】
【０００２】
コピー機能を有する画像形成装置では、ユーザの多種多様なニーズに応えるために、多機能化が進展している。当該多機能化に伴って、多彩な機能を実現するための設定項目キー（選択項目キー）の数も増加している。一方、操作パネルの表示画面に係るスペースには制限がある。そのため、限られた表示画面スペースを効率的に活用するために、代表的な機能に係る設定項目キーのみがインデックス的に一覧表示され、その他の機能に係る設定項目キーは、各代表機能に係る設定項目キーの下位層に、複数段階にわたり階層化されて配置されるよう工夫されている。
【０００３】
しかしながら、ユーザが、上述した操作パネルの表示画面を備える画像形成装置の使用に慣れていない場合、原稿台上に原稿を正しく載置した上で、複数段階の階層を辿って所定の設定項目キーを選択することは至難の業である。そのため、ユーザが、自己の希望する印刷物（複写物）を適切に得ることが出来ないという問題がある。
【０００４】
このような問題を解決するために、例えば、特開２００８−２９９２２８号公報（特許文献１）には、コピー機能を有し、各種情報を表示するための表示手段を備えて構成される画像形成装置が開示されている。当該画像形成装置では、コピー機能の操作に係るガイダンス画面を、ユーザの選択操作を促すための選択操作画面とともに、前記表示手段に表示させる一方で、ユーザによる選択操作完了の意図を受け付けたとき、前記ユーザの選択操作内容に従うコピーイメージを、前記表示手段に表示させる制御を行う表示制御手段をさらに備えるよう構成される。
【０００５】
当該構成により、ユーザは、コピー機能の操作に係るガイダンス画面の案内に従って、選択操作画面の中から、自己の希望に添う出力物を得るための選択操作を行った後、選択操作完了の意図を示せば、この選択操作内容に従うコピーイメージがプレビュー表示される。そのため、ユーザは、実際のコピー処理の実行前に、自己の希望に添う出力物を得ることができるか否かを、視覚を介して確認することが可能となる。その結果、ユーザに優しいガイダンス機能を提供し、ユーザの利便性を飛躍的に向上することが出来るとしている。
【０００６】
又、特開２００３−０３７６９６号公報（特許文献２）には、ネットワーク機能、スキャナ機能、ＦＡＸ機能を搭載した画像入出力処理装置が開示されている。当該画像入出力処理装置では、原稿の設置方向、印刷処理条件から印刷処理速度を判断して、原稿の設置方向が適切か判断する処理速度判断部と、原稿の設置方向が適切でない場合その旨表示してユーザに変更を促す操作表示手段とを備えるよう構成される。
【０００７】
当該構成により、印刷を行なう前に、ユーザの設定情報および原稿のサイズ、設置方向から最適な原稿設置方向を判断し、必要に応じてユーザに対して変更を促すことで、印刷処理時間を短縮させることが出来るとしている。
【先行技術文献】
【特許文献】
【０００８】
【特許文献１】特開２００８−２９９２２８号公報
【特許文献２】特開２００３−０３７６９６号公報
【発明の概要】
【発明が解決しようとする課題】
【０００９】
しかしながら、特許文献１、特許文献２に記載の技術では、原稿のプレビュー画像を操作パネル（タッチパネル）に表示するプレビュー画像機能についての記載が無い。そのため、当該プレビュー画像機能に、特許文献１、特許文献２に記載の技術を適用しても、ユーザの利便性を向上させることが出来るか、印刷処理時間を短縮させることが出来るか不明である。
【００１０】
又、近年、画像形成装置の操作部では、大部分が上述したプレビュー画像機能を備えるように構成されている。前記プレビュー画像機能では、原稿の画像データに対応するプレビュー画像を、製造者等の特定のユーザにより予め設定された表示向きとして表示する。ここで、前記プレビュー画像の表示向きが、当該プレビュー画像の内容の方向（縦書きか横書きか）と一致していない場合がある。この場合に、当該プレビュー画像機能に習熟していないユーザが当該プレビュー画像を視認すると、原稿の載置に誤りがあるのか、前記プレビュー画像表示に誤りがあるのか分からず、誤解、混乱を招くという問題がある。
【００１１】
特に、プレビュー画像を見ながら条件設定を実行する機能、例えば、２以上の原稿の画像を集約して印刷する集約機能を実行する場合に、プレビュー画像の表示向きが当該プレビュー画像の内容の方向と不一致であると、ユーザは、集約機能に関する設定条件の入力をし難く、誤った設定条件を入力してしまうという問題がある。その結果、ミスコピーの発生を招くという二次的な問題も発生する。
【００１２】
又、例えば、Ａ４サイズやＢ５サイズ等の原稿は、載置向きが一の向き（例えば、横向きのみ）にしか限定して載置することが出来ない場合があり、それによりプレビュー画像の表示向きが限定されることがある。すると、ユーザが、当該プレビュー画面の表示向きを変更することが出来ずに、当該プレビュー画像を見ながら集約機能に関する設定条件を入力すると、当該入力を誤るという問題がある。
【００１３】
そこで、本発明は、前記問題を解決するためになされたものであり、プレビュー画像の表示向きを容易に確認することが可能であり、ユーザの操作性を向上させることが可能な操作装置及び操作方法を提供することを目的とする。
【課題を解決するための手段】
【００１４】
上述した課題を解決し、目的を達成するために、本発明に係る操作装置は、原稿台上に載置された原稿の画像データに対応したプレビュー画像を予め設定された表示向きで表示するプレビュー画像画面と、当該画像データを利用した機能を実現するための所定の設定項目キーを表示する設定項目画面とをタッチパネル上に表示する操作装置を前提とする。
【００１５】
当該操作装置において、前記プレビュー画像の表示向きを規定するとともに、前記原稿台上に載置された原稿の上辺の方向を示す向き設定情報を記憶する向き設定情報記憶手段と、前記向き設定情報に対応する表示向きで前記プレビュー画像を前記プレビュー画像画面に表示するプレビュー画像表示手段と、前記プレビュー画像が所定の表示向きでプレビュー画像画面に表示される際に、前記向き設定情報記憶手段から前記向き設定情報を取得する向き設定情報取得手段と、前記プレビュー画像画面に、前記取得された向き設定情報をタブキーとして選択可能に表示するタブ表示受付手段と、前記表示されるプレビュー画像の表示向きに対応する向き設定情報のタブキーを、前記プレビュー画像画面と同一画面になるように表示する表示調整手段とを備える。
【００１６】
当該構成により、ユーザが、プレビュー画像の表示されるプレビュー画像画面と同一画面のタブキーを視認すれば、当該タブキーの向き設定情報が当該プレビュー画像の表示向きに対応することを容易に確認することが可能となる。そのため、当該プレビュー画像の表示向きを確認したユーザは、自己が行なった原稿の載置に誤りがあるのか、前記プレビュー画像画面に誤りがあるのか分からないという誤解、混乱を避けることが可能となり、ユーザへの視認性、操作性を向上させることが可能となる。
【００１７】
前記向き設定情報記憶手段は、前記原稿台上に載置された原稿の上辺の方向が上方向である第一の向き設定情報と、前記原稿台上に載置された原稿の上辺の方向が左方向である第二の向き設定情報とを記憶し、前記プレビュー画像表示手段は、前記第一の向き設定情報と第二の向き設定情報のうち、予め設定された向き設定情報に対応する表示向きで前記プレビュー画像を前記プレビュー画像画面に表示し、前記向き設定情報取得手段は、前記第一の向き設定情報と第二の向き設定情報とを取得し、前記タブ表示受付手段は、前記プレビュー画像画面に、前記第一の向き設定情報と第二の向き設定情報とをタブキーとして選択可能に表示し、更に、前記タブ表示受付手段が、ユーザから所定のタブキーの選択を受け付けると、選択されたタブキーの向き設定情報に対応する表示向きに、前記プレビュー画像の表示向きを変更する表示向き変更手段を備える。
【００１８】
更に、前記プレビュー画像が所定の表示向きで前記プレビュー画像画面に表示されている場合に、ユーザにより所定の設定項目キーが選択されると、当該選択された設定項目キーの設定条件を示す選択項目キーのうち、前記プレビュー画像の表示向きに適合する選択項目キーを、他の選択項目キーと比較してユーザにより優先的に選択されやすい位置に表示し、前記プレビュー画像の表示向きを、所定の機能が実現される場合の画像データの向きとして受け付ける画面表示受付手段を備える。
【００１９】
前記設定項目キーは、集約、パンチ／ステープルのいずれかの後処理の機能を実現するためのキーを含む。
【００２０】
又、当該操作装置は、画像形成装置に適用することが出来る。
【００２１】
当該構成により、画像形成装置を利用するユーザは、前記プレビュー画像に基づいて、自己の希望する設定条件、例えば、集約、パンチ／ステープル等の後処理の設定条件を、間違えることなく適切に入力することが可能となり、画像形成装置を快適に利用することが可能となる。
【００２２】
尚、本発明は、原稿台上に載置された原稿の画像データに対応したプレビュー画像を予め設定された表示向きで表示するプレビュー画像画面と、当該画像データを利用した機能を実現するための所定の設定項目キーを表示する設定項目画面とをタッチパネル上に表示する操作装置の操作方法として提供することが出来る。即ち、当該操作方法において、前記プレビュー画像の表示向きを規定するとともに、前記原稿台上に載置された原稿の上辺の方向を示す向き設定情報に対応する表示向きで前記プレビュー画像を前記プレビュー画像画面に表示するプレビュー画像表示ステップと、前記プレビュー画像が所定の表示向きでプレビュー画像画面に表示される際に、前記向き設定情報を記憶する向き設定情報記憶手段から当該向き設定情報を取得する向き設定情報取得ステップと、前記プレビュー画像画面に、前記取得された向き設定情報をタブキーとして選択可能に表示するタブ表示受付ステップと、前記表示されるプレビュー画像の表示向きに対応する向き設定情報のタブキーを、前記プレビュー画像画面と同一画面になるように表示する表示調整ステップとを含むことを特徴とする操作方法を提供出来る。当該構成としても、上述と同様の効果を得ることが可能となる。
【発明の効果】
【００２３】
本発明の操作装置及び操作方法によれば、プレビュー画像の表示向きを容易に確認することが可能であり、ユーザの操作性を向上させることが可能となる。
【図面の簡単な説明】
【００２４】
【図１】本発明に係る複合機の内部の全体構成を示す概念図である。
【図２】本発明に係る操作部の全体構成を示す概念図である。
【図３】本発明に係る複合機及び操作部の制御系ハードウェアの構成を示す図である。
【図４】本発明の実施形態における複合機及び操作部の機能ブロック図である。
【図５】本発明の実施形態の実行手順を示すための第一のフローチャートである。
【図６】本発明の実施形態の実行手順を示すための第二のフローチャートである。
【図７】本発明の実施形態のタッチパネル上に表示されたコピー機能画面の一例を示す図（図７（Ａ））と、本発明の実施形態における原稿の画像データの向きと主走査方向と副走査方向との関係の一例を示す図（図７（Ｂ））である。
【図８】本発明の実施形態に係る向き設定情報テーブルの一例を示す図（図８（Ａ））と、本発明の実施形態における種々のプレビュー画像の表示向きの一例を示す図（図８（Ｂ））である。
【図９】本発明の実施形態に係るタブ表示画面の一例を示す図（図９（Ａ））と、本発明の実施形態においてタブ表示画面が表示されたコピー機能画面の一例を示す図（図９（Ｂ））である。
【図１０】本発明の実施形態において縦長で横書きの原稿が横向きに載置された場合の一例を示す図（図１０（Ａ））と、本発明の実施形態において縦長で横書きのプレビュー画像が横向きに表示された場合の一例を示す図（図１０（Ｂ））である。
【図１１】本発明の実施形態において縦長で横書きのプレビュー画像が縦向きに表示された場合の一例を示す図（図１１（Ａ））と、本発明の実施形態における集約に関する設定項目キーが表示された画面の一例を示す図（図１１（Ｂ））である。
【発明を実施するための形態】
【００２５】
以下に、添付図面を参照して、本発明の操作装置を備えた画像形成装置の実施形態について説明し、本発明の理解に供する。尚、以下の実施形態は、本発明を具体化した一例であって、本発明の技術的範囲を限定する性格のものではない。又、フローチャートにおける数字の前に付されたアルファベット「Ｓ」はステップを意味する。
【００２６】
＜画像形成装置及び操作装置＞
以下に、本発明に係る操作装置を備えた画像形成装置について説明する。
【００２７】
図１は、折り装置と製本装置とが接続された画像形成装置の概略模式図である。但し、本発明に直接には関係しない各部の詳細は省略している。尚、本発明の画像形成装置は、例えば、プリンタやスキャナ単体、あるいはプリンタ、コピー、スキャナ、ファックス等を備えた複合機等が該当し、コピーサービス、スキャナサービス、ファクシミリサービス、プリンタサービス等を備えた画像形成装置として機能する。以下に、例えば、コピーサービスを利用する場合の複合機１００（ＭＦＰ：Ｍｕｌｔｉ  Ｆｕｎｃｔｉｏｎ  Ｐｅｒｉｐｈｅｒａｌ）の動作を簡単に説明する。
【００２８】
まず、ユーザが複合機１００を利用する場合、原稿Ｐを複合機１００の上面に備えられている原稿台１０１に載置し、コピーサービスの設定を操作部１０２から入力する。当該操作部１０２には、複合機１００が提供するコピーサービスに関連するコピー機能画面（初期画面）が表示され、当該コピー機能画面には、複数の機能項目キー（例えば、「集約」キー、「パンチ／ステープル」キー等）が選択可能に表示されている。ユーザは、機能項目キーを選択することによって、設定条件の選択・入力をし、コピーサービスに関する設定条件（出力条件）の入力が行なわれる。
【００２９】
又、コピー機能画面には、原稿台１０１に載置された原稿の画像を、操作部１０２のタッチパネル上に表示する「プレビュー」キーが選択可能に表示されている。ユーザが当該「プレビュー」キーを選択すると、後述する画像読取部１０３が作動し（プレスキャンともいう）、読み取られた画像データを縮小したプレビュー画像が所定のプレビュー画像画面に表示される。これにより、ユーザは、プレビュー画像を見ながら、様々な機能項目キーを選択し、自己の希望する設定条件の入力を行なう。
【００３０】
さて、設定条件の入力が終了後、ユーザは操作部１０２に設けられたスタートキーを押下して、複合機１００にコピーサービスの処理を開始させる。
【００３１】
複合機１００がコピーサービスの処理を開始すると、画像読取部１０３において、光源１０４から照射された光が、前記原稿台１０１に置かれた原稿に反射される。反射された光は、ミラー１０５、１０６、１０７によって撮像素子１０８に導かれる。導かれた光は前記撮像素子１０８により光電変換されて、基本的な補正処理、画質処理、圧縮処理等を施され、前記原稿に対応する画像データが生成される。
【００３２】
尚、前記画像データは、複合機１００に接続された通信ケーブル１０９を介して、ネットワーク１１０から出力（画像形成）の指示とともに送信されても構わない。ネットワーク１１０から画像データが送信される場合は、画像読取部１０３の処理は省略される。
【００３３】
又、前記画像データは、ユーザの設定条件の入力により、プレスキャンにより得られた画像データ、複数の画像データが集約された１つの画像データ、所定の付加情報（文字、ページ数等）が付加された画像データである場合も想定される。
【００３４】
さて、前記画像データをトナー像として転写する駆動部が画像形成部１１１である。前記画像形成部１１１には感光体ドラム１１２が備えられている。前記感光体ドラム１１２は、一定速度で所定の方向に回転し、その周囲には、回転方向の上流側から順に、帯電器１１３、露光ユニット１１４、現像器１１５、転写器１１６、クリーニングユニット１１７などが配置されている。
【００３５】
前記帯電器１１３は、前記感光体ドラム１１２の表面を一様に帯電させる。前記露光ユニット１１４は、帯電された前記感光体ドラム１１２の表面に、前記画像データに基づいてレーザーを照射し、静電潜像を形成する。前記現像器１１５は、搬送された静電潜像に、トナーを付着させてトナー像を形成する。形成されたトナー像は、前記転写器１１６により、記録媒体（例えば、シート）に転写される。前記クリーニングユニット１１７は、前記感光体ドラム１１２の表面に残された余分なトナーを取り除く。これらの一連のプロセスは、前記感光体ドラム１１２が回転することにより実行される。
【００３６】
前記シートは、前記複合機１００に備えられた複数の給紙カセット１１８から搬送される。搬送される時は、前記シートはピックアップローラ１１９により何れか１つの前記給紙カセット１１８から搬送路へ引き出される。前記各給紙カセット１１８には、それぞれ異なる紙種のシートが収容されており、前記出力条件に関する設定に基づいてシートが給紙される。
【００３７】
搬送路に引き出された前記シートは、搬送ローラ１２０やレジストローラ１２１により感光体ドラム１１２と転写器１１６の間に送り込まれる。送り込まれると、前記シートは前記転写器１１６により前記トナー像が転写され、定着装置１２２に搬送される。尚、搬送ローラ１２０に搬送されるシートは、複合機１００に備えられた手差しトレイ１２３から搬送される場合もある。
【００３８】
前記トナー像が転写されたシートが前記定着装置１２２に備えられた加熱ローラ１２４と加圧ローラ１２５の間を通過すると、前記トナー像に熱と圧力が印加されて、可視像がシートに定着される。前記加熱ローラ１２４の熱量は紙種に応じて最適に設定され、前記定着が適切に行われる。前記可視像がシートに定着されて画像形成が終了し、可視像が定着されたシートは、定着装置１２２を経て折り装置１２６へ搬送される。
【００３９】
前記搬送されたシートは、ユーザが入力した設定条件に従って、折り装置１２６で折り処理が施される。折り処理が入力されていない場合は、前記シートは折り装置１２６を通過するのみである。また、ユーザが後処理（例えば、ステープル、パンチ、製本等）を設定条件として入力した場合、通過したシートは製本装置１２７に搬送されて後処理を施され、排紙トレイ１２８に積載、収容される。
【００４０】
尚、前記折り装置１２６、製本装置１２７は複合機１００から取り外し可能であるため、折り装置１２６、製本装置１２７が取り外された場合、定着装置１２２にて可視像が定着されたシートは、印刷物として複合機１００の側面に設けられた排紙トレイ１２８に積載され、収容されることになる。
【００４１】
前記手順により、複合機１００はコピーサービスをユーザに提供する。なお、他のサービスについては、上述した画像読取部１０３、画像形成部１１１等が駆動して提供することになる。本発明の複合機１００は、ネットワーク１１０から送信された画像データを画像形成するプリントサービス、原稿の画像データを読み取るスキャンサービス、ネットワーク１１０に画像データを送受信するファクシミリ送受信サービス、一度読み取った画像データを保存するメモリサービスを提供しても構わない。
【００４２】
図２は、本発明に係る操作部の全体構成を示す概念図である。ユーザは、前記操作部１０２を用いて、上述のような画像形成についての設定条件を入力したり、入力された設定条件を確認したりする。前記設定条件が入力される場合、前記操作部１０２に備えられたタッチパネル２０１（操作パネル）、タッチペン２０２、操作キー２０３が用いられる。
【００４３】
前記タッチパネル２０１には、アナログ抵抗膜方式が採用され、透光性を有する上部フィルムと下部ガラス基板とがスペーサを介して重ね合わされた構成となっており、上部フィルムと下部ガラス基板との各々の対向面には、ＩＴＯ（Ｉｎｄｉｕｍ  Ｔｉｎ  Ｏｘｉｄｅ）等からなる透明電極層が設けられている。更に、上部フィルムがユーザにより押下されると、当該押下位置に対応する上部フィルム側の透明電極層と下部ガラス基板側の透明電極層とが接触するよう構成されている。上部フィルム又は下部ガラス基板に電圧を印加し、下部ガラス基板又は上部フィルムから押下位置に対応する電圧値を取り出すことにより、当該電圧値に対応する座標値（押下位置）を検出する。検出された押下位置が、タッチパネル上に表示された画面内の機能項目キー等の表示領域内に含まれると、当該機能項目の内容が入力（設定）される。
【００４４】
又、下部ガラス基板の下方には、ＬＣＤ（Ｌｉｑｕｉｄ  Ｃｒｙｓｔａｌ  Ｄｉｓｐｌａｙ）等の表示部が設けられており、当該表示部が、例えば、初期画面、コピー機能画面等の画面を表示することにより、タッチパネル２０１上に特定の画面が表示される。これにより、タッチパネル２０１には、設定条件等を入力する機能と当該設定条件等を表示する機能が兼ね備えられる。
【００４５】
又、タッチパネル２０１の近傍には、タッチペン２０２が備えられており、ユーザがそのタッチペン２０２の先をタッチパネル２０１に接触させると、当該接触位置（押下位置）に対応する座標値が、上記と同様に出力され、ユーザはタッチペン２０２により、表示された機能項目キー等を押下・選択することが可能となる。
【００４６】
更に、タッチパネル２０１近傍には、所定数の操作キー２０３が設けられ、例えば、テンキー２０４、スタートキー２０５、クリアキー２０６、ストップキー２０７、リセットキー２０８、電源キー２０９が備えられている。
【００４７】
次に、図３を用いて、複合機１００及び操作部１０２の制御系ハードウェアの構成を説明する。図３は、本発明に係る複合機１００及び操作部１０２の制御系ハードウェアの構成を示す図である。ただし、本発明に直接には関係しない各部の詳細は省略している。
【００４８】
複合機１００の制御回路は、ＣＰＵ（Ｃｅｎｔｒａｌ  Ｐｒｏｃｅｓｓｉｎｇ  Ｕｎｉｔ）３０１、ＲＯＭ（Ｒｅａｄ  Ｏｎｌｙ  Ｍｅｍｏｒｙ）３０２、ＲＡＭ（Ｒａｎｄｏｍ  Ａｃｃｅｓｓ  Ｍｅｍｏｒｙ）３０３、ＨＤＤ（Ｈａｒｄ  Ｄｉｓｋ  Ｄｒｉｖｅ）３０４、各駆動部に対応するドライバ３０５を内部バス３０６によって接続している。前記ＣＰＵ３０１は、例えば、ＲＡＭ３０３を作業領域として利用し、前記ＲＯＭ３０２、ＨＤＤ３０４等に記憶されているプログラムを実行し、当該実行結果に基づいて前記ドライバ３０５と図示しない操作部１０２からのデータや指示を授受し、前記図１に示した各駆動部の動作を制御する。また、前記駆動部以外の後述する各手段（図４に示す）についても、前記ＣＰＵ３０１がプログラムを実行することで当該各手段を実現する。
【００４９】
又、制御回路の内部バス３０６には、内部インターフェイス３０７も接続されており、当該内部インターフェイス３０７は、操作部１０２の制御回路等と複合機１００の制御回路とを接続する。ＣＰＵ３０１は、内部インターフェイス３０７を介して操作部１０２等の制御回路からの命令信号を受信したり、操作部１０２等の制御回路へ命令信号、データ等を送信したりする。
【００５０】
又、操作部１０２の制御回路には、内部バス３１５に、ＣＰＵ３０９、ＲＯＭ３１０、ＲＡＭ３１１、ＬＣＤ３１２、操作キー３１３（２０３）、タッチパネル３１４（２０１）、内部インターフェイス３０８を備える。操作キー３１３やタッチパネル３１４をユーザが操作すると、ＣＰＵ３０９は、内部インターフェイス３０８を介して、当該操作に基づく命令信号を複合機１００の制御回路に送信する。又、ＣＰＵ３０９、ＲＯＭ３１０、ＲＡＭ３１１の機能も上記と同様であり、後述する各手段（図４に示す）についても、前記ＣＰＵ３０９がプログラムを実行することで当該各手段を実現する。前記ＲＯＭ３１０には、以下に説明する各手段を実現するプログラムやデータが記憶されている。
【００５１】
＜本発明の実施形態＞
次に、図４−図６を参照しながら、本発明の実施形態に係る構成及び実行手順について説明する。図４は、本発明の複合機及び操作部の機能ブロック図である。図５は、本発明の実行手順を示すための第一のフローチャートである。図６は、本発明の実施形態の実行手順を示すための第二のフローチャートである。
【００５２】
まず、ユーザが、複合機１００の電源を投入すると、複合機１００とともに操作部１０２が起動し、操作部１０２の画面表示受付手段４０１が、予め設定された初期画面（例えば、コピー機能画面）をタッチパネル２０１上に表示する（図５：Ｓ１０１）。
【００５３】
図７（Ａ）は、本発明の実施形態のタッチパネル上に表示されたコピー機能画面の一例を示す図である。
【００５４】
図７（Ａ）に示すように、コピー機能画面７００には、コピーサービスの条件設定を行なうための設定項目キー７０１（例えば、「集約」キー７０１ａ、「パンチ／ステープル」キー等）と、原稿台１０１に載置された原稿の画像データをプレビュー画像として表示させる「プレビュー」キー７０２と、前記プレビュー画像が表示されるプレビュー画像画面７０３とが表示される。
【００５５】
ここで、ユーザが、原稿台１０１上に原稿を所定の載置向きで載置する。前記原稿の載置向きとは、原稿が原稿台１０１上に縦長で載置された縦向き、又は、横長で載置された横向きを示している。そして、ユーザが、コピー機能画面７００の「プレビュー」キー７０２を選択（押下）すると（図５：Ｓ１０２ＹＥＳ）、画面表示受付手段４０１は、当該「プレビュー」キー７０２の選択を受け付けて、その旨を複合機１００の制御手段４０２に通知する。当該通知を受けた制御手段４０２は、画像読取手段４０３に画像データの読み取りを指示し、当該指示を受けた画像読取手段４０３は、原稿台１０１上の原稿の画像データを読み取って、当該画像データを画像データ記憶手段４０４に記憶させる（図６：Ｓ２０１）。尚、ユーザが、「プレビュー」キー７０２を選択しない場合は（図５：Ｓ１０２ＮＯ）、後述する。
【００５６】
図７（Ｂ）は、本発明の実施形態における原稿の画像データの向きと主走査方向と副走査方向との関係の一例を示す図である。
【００５７】
ここで、原稿台７０５では、図７（Ｂ）に示すように、原稿台７０５の左上角部を原点７０６（基準０）とし、当該原点７０６から右方向を副走査方向とし、下方向を主走査方向とするように予め設定されている。尚、前記原点７０６は、原稿台７０５の原稿位置合わせの位置に対応しており、ユーザは、原稿７０７を原稿台７０５に載置する場合、当該原稿７０７の角部を当該原稿位置合わせの位置（つまり、原稿台７０５の左上角部７０６）に対応させて原稿７０７を載置することになる。
【００５８】
前記設定に従って読み取られた原稿７０７の画像データ７０４は、原稿台１０１に裏を上にして載置された原稿の表面の画像データとなるから、前記原点を右上角部７０８とし、当該右上角部７０８から左方向をＸ軸方向（副走査方向）とし、下方向をＹ軸方向（主走査方向）とするように記憶される。
【００５９】
画像読取手段４０３が画像データを画像データ記憶手段４０４に記憶させると、その旨を制御手段４０２を介してプレビュー画像表示手段４０５に通知する。当該通知を受けたプレビュー画像表示手段４０５は、画像データ記憶手段４０４から画像データを取得して、当該画像データに対応するプレビュー画像を生成し、向き設定情報記憶手段４０６に予め記憶された向き設定情報テーブルを参照する（図６：Ｓ２０２）。
【００６０】
図８（Ａ）は、本発明の実施形態に係る向き設定情報テーブルの一例を示す図である。
【００６１】
向き設定情報テーブル８００には、図８（Ａ）に示すように、向き設定情報８０１（例えば、「上辺を奥向き」８０１ａ、「上辺を左向き」８０１ｂ）と、前記向き設定情報８０１が初期条件として予め設定されているか否かを示す初期条件情報８０２（例えば、初期条件として予め設定されていることを示す「１」８０２ａ、初期条件として予め設定されていないことを示す「０」８０２ｂ）とが関連付けて記憶されている。
【００６２】
前記プレビュー画像表示手段４０５は、前記向き設定情報テーブル８００から、予め設定されたことを示す「１」８０２ａに対応する向き設定情報８０１（例えば、「上辺を奥向き」８０１ａ）を取得する。
【００６３】
図８（Ｂ）は、本発明の実施形態における種々のプレビュー画像の表示向きの一例を示す図である。
【００６４】
ここで、向き設定情報８０１とは、プレビュー画像が表示される場合の表示向きを規定する情報である。具体的には、原稿の画像データの平面座標系をプレビュー画像の表示平面座標系に変換する場合の各軸の方向を規定する情報である。例えば、プレビュー画像表示手段４０５が、前記向き設定情報８０１として「上辺を奥向き」８０１ａ（「上辺を上向き」）を取得した場合、図７（Ｂ）、図８（Ｂ）に示すように、画像データ７０４の原点（右上角部７０８）をプレビュー画像８０３の右上角部８０４とし、画像データ７０４のＸ軸方向をプレビュー画像８０３の左方向とし、画像データ７０４のＹ軸方向をプレビュー画像８０３の下方向とする。この場合、例えば、原稿の載置向きが横向きで、向き設定情報が「上辺を奥向き」である場合、プレビュー画像の表示向きは、横向き（横長）となる。尚、プレビュー画像の表示向きとは、プレビュー画像がプレビュー画像画面７０３上に縦長で表示された縦向き、又は、横長で表示された横向きを示している。
【００６５】
一方、プレビュー画像表示手段４０５が、前記向き設定情報８０１として「上辺を左向き」８０１ｂを取得した場合、画像データ７０４の原点（右上角部７０８）をプレビュー画像８０５の左上角部８０６とし、画像データ７０４のＸ軸方向をプレビュー画像８０５の下方向とし、画像データ７０４のＹ軸方向をプレビュー画像８０５の右方向とする。この場合、例えば、原稿の載置向きが横向きで、向き設定情報が「上辺を左向き」である場合、プレビュー画像の表示向きは、縦向き（縦長）となる。
【００６６】
尚、「上辺を奥向き」（又は、「上辺を左向き」）の上辺とは、原稿台１０１（プラテンガラス）の原点７０６からＸ軸方向の画像データ（又は原稿）の一辺、言い換えると、原稿台１０１に載置された原稿の上方の一辺に対応する。そのため、「上辺を奥向き」とは、読み取られた画像データの上方の一辺が上方を向くこと（原稿台１０１に載置された原稿の上辺が上方を向くこと）を意味し、「上辺を左向き」とは、読み取られた画像データの上方の一辺が左方を向くこと（原稿台１０１に載置された原稿の上辺が左方を向くこと）を意味する。
【００６７】
さて、プレビュー画像表示手段４０５は、上述した向き設定情報に対応した表示向きで、プレビュー画像をプレビュー画像画面７０３に表示する（図６：Ｓ２０３）。
【００６８】
ここで、前記プレビュー画像表示手段４０５が、前記プレビュー画像を表示する際に、その旨を向き設定情報取得手段４０７に通知する。当該通知を受けた向き設定情報取得手段４０７は、前記向き設定情報テーブル８００から前記向き設定情報８０１を取得する（図６：Ｓ２０４）。
【００６９】
前記向き設定情報取得手段４０７が前記向き設定情報８０１を取得すると、その旨をタブ表示受付手段４０８に通知する。当該通知を受けたタブ表示受付手段４０８は、タブ表示画面記憶手段４０９に予め記憶されたタブ表示画面のデータを読み出すとともに、当該タブ表示画面のタブキーに、前記向き設定情報取得手段４０７により取得された向き設定情報８０１を配置する。
【００７０】
図９（Ａ）は、本発明の実施形態に係るタブ表示画面の一例を示す図である。
【００７１】
前記タブ表示画面９００には、図９（Ａ）に示すように、前記プレビュー画像画面７０３の一部の表示領域に収まる略横長形状に構成され、上下二段に表示領域が区分されている。上段の表示領域９０１には、前記向き設定情報８０１の数に対応する数のタブが相互に重ならないように横方向（左右方向）に直列に配置されている。又、下段の表示領域９０２には、上段の所定数のタブキーがプレビュー画像の表示向きの種類に対応することを示すメッセージ「セット向き」９０２ａが配置されている。
【００７２】
前記タブ表示受付手段４０８は、上段の表示領域９０１の左側のタブ９０１ａから前記向き設定情報８０１（「上辺を奥向き」８０１ａ、「上辺を左向き」８０１ｂ）を所定の順番（例えば、向き設定情報８０１が向き設定情報テーブル８００から取得された順番）で配置する。そして、タブ表示受付手段４０８は、前記向き設定情報８０１をタブキーとして選択可能となるように、前記プレビュー画像画面７０３内のプレビュー画像の直下に表示する（図６：Ｓ２０５）。この際、前記プレビュー画像画面７０３内の「プレビュー」キー７０２は、丁度、タブ表示画面９００の直下に表示される。
【００７３】
ここで、前記タブ表示受付手段４０８が前記向き設定情報８０１に対応するタブキーを表示する際に、その旨を表示調整手段４１０に通知する。当該通知を受けた表示調整手段４１０は、前記プレビュー画像表示手段４０５から前記プレビュー画像９０３の表示向きに対応する向き設定情報（「上辺を奥向き」８０１ａ）を取得し、取得した向き設定情報（「上辺を奥向き」８０１ａ）と一致するタブキー、つまり、「上辺を奥向き」キー９０１ａを前記プレビュー画像画面７０３と同一画面となるように表示する（図６：Ｓ２０６）。
【００７４】
更に、前記表示調整手段４１０は、原稿の画像データ７０４の基準位置７０８（原点）に対応するプレビュー画像９０３の基準位置９０４ａに、原稿台７０５の原稿位置合わせの位置７０６を示すマーク９０４（例えば、矢印マーク）を表示する（図６：Ｓ２０７）。
【００７５】
図９（Ｂ）は、本発明の実施形態においてタブ表示画面が表示されたコピー機能画面の一例を示す図である。
【００７６】
コピー機能画面９０５には、図９（Ｂ）に示すように、設定項目キー７０１の他に、プレビュー画像画面７０３内に、種々のプレビュー画像９０３の表示向きに対応するタブキー９０１が選択可能に表示されるとともに、当該プレビュー画像９０３の表示向きを示すタブキー、つまり、「上辺を奥向き」キー９０１ａが当該プレビュー画像画面７０３と同一画面で表示される。又、前記プレビュー画像７０４の基準位置に前記マーク９０４が表示される。
【００７７】
これにより、ユーザが、プレビュー画像９０３の表示されるプレビュー画像画面７０３と同一画面のタブキー（「上辺を奥向き」キー９０１ａ）を視認すれば、当該タブキー（「上辺を奥向き」キー９０１ａ）に配置された向き設定情報（「上辺を奥向き」）が当該プレビュー画像９０３の表示向きに対応することを容易に確認することが可能となる。そのため、当該プレビュー画像９０３の表示向きを確認したユーザは、自己が行なった原稿の載置に誤りがあるのか、前記プレビュー画像画面７０３に誤りがあるのか分からないという誤解、混乱を避けることが可能となり、ユーザへの視認性、操作性を向上させることが可能となる。
【００７８】
又、ユーザが、前記マーク９０４を視認すれば、当該マーク９０４に基づいて自己の載置させた原稿７０７の原稿位置合わせの位置７０６を容易に確認することが可能となる。そのため、ユーザは、原稿７０７の載置向きとプレビュー画像９０３の表示向きとの違いを容易に把握し、上述した誤解、混乱を確実に回避することが可能となる。
【００７９】
ここで、例えば、図７（Ｂ）、図９（Ｂ）に示すように、横長の原稿９０１で、縦書きの原稿９０１が、横向きに原稿台１０１に載置され、前記向き設定情報「上辺を奥向き」により、対応するプレビュー画像９０２が横向きに表示された場合、プレビュー画像９０２の各行は縦方向（上下方向）で表示されるため、プレビュー画像９０３が原稿７０７の画像をそのまま反映しており、特に問題とならない。
【００８０】
この場合、例えば、ユーザが、前記プレビュー画像９０３を見ながら、特定のタブキーを選択することなく（図６：Ｓ２０８ＮＯ）、所定の設定項目キー７０１を選択して（図５：Ｓ１０３ＹＥＳ）、画面表示受付手段４０１が、当該設定項目キー７０１の選択を受け付けたとしても（図５：Ｓ１０４）、不適切な設定条件の入力をすることはない。
【００８１】
図１０（Ａ）は、本発明の実施形態において縦長で横書きの原稿が横向きに載置された場合の一例を示す図である。図１０（Ｂ）は、本発明の実施形態において縦長で横書きのプレビュー画像が横向きに表示された場合の一例を示す図である。
【００８２】
一方、例えば、図１０（Ａ）、図１０（Ｂ）に示すように、縦長の原稿１００１で、横書きの原稿１００１が、横向きに原稿台１０１に載置され、前記向き設定情報「上辺を奥向き」により、対応するプレビュー画像１００２が横向きに表示された場合、本来横書きで表示されるべきプレビュー画像１００２の各行は縦方向（上下方向）で表示されるため、ユーザから見て前記プレビュー画像１００２の内容が視認し難く、当該プレビュー画像の表示向きが不適切であることは明らかである。
【００８３】
この場合、ユーザは、前記プレビュー画像１００２を見ながら、プレビュー画像画面７０３と同一画面になっていない特定のタブキー（例えば、「上辺を左向き」キー９０１ｂ）を選択すると（図６：Ｓ２０８ＹＥＳ）、前記タブ表示受付手段４０８は、特定のタブキーの選択を受け付けて、その旨を表示向き変更手段４１１に通知する。当該通知を受けた表示向き変更手段４１１は、選択されたタブキーの向き設定情報に対応する表示向きに、前記プレビュー画像表示手段４０５が表示しているプレビュー画像１００３の表示向きを変更する（図６：Ｓ２０９）。
【００８４】
現時点で表示されているプレビュー画像１００２は、向き設定情報「上辺を奥向き」８０１ａに対応するように、画像データの原点を右上角部とし、画像データのＸ軸方向を左方向とし、画像データのＹ軸方向を下方向としている。そのため、表示向き変更手段４１１は、前記プレビュー画像を、前記向き設定情報「上辺を左向き」８０１ｂ（９０１ｂ）に対応するように、当該原点を左上角部とし、画像データのＸ軸方向を下方向とし、画像データのＹ軸方向を右方向とする。これにより、表示されているプレビュー画像１００２が９０度時計回りに回転して表示され、当該プレビュー画像の表示向きが縦向きとなり、横書きの原稿も横方向（左右方向）となる。
【００８５】
前記表示向き変更手段４１１が、前記プレビュー画像の表示向きを変更すると、その旨を表示調整手段４１０に通知する。当該通知を受けた表示調整手段４１０は、上記と同様に、前記プレビュー画像表示手段４０５から、変更後のプレビュー画像の向き設定情報（「上辺を左向き」８０１ｂ）を取得し、取得した向き設定情報（「上辺を左向き」８０１ｂ）と一致するタブキー、つまり、「上辺を左向き」キー９０１ｂを前記プレビュー画像画面７０３と同一画面となるように表示する（図６：Ｓ２０６）。
【００８６】
更に、前記表示調整手段４１０は、原稿１００１の画像データ１００２の基準位置１００４（原点）に対応するプレビュー画像の基準位置に、原稿台７０５の原稿位置合わせの位置７０６を示すマークを表示する（図６：Ｓ２０７）。
【００８７】
図１１（Ａ）は、本発明の実施形態において縦長で横書きのプレビュー画像が縦向きに表示された場合の一例を示す図である。
【００８８】
コピー機能画面には、図１１（Ａ）に示すように、横書きに記載されたプレビュー画像１１０１が横方向に表示されるとともに、原稿位置合わせの位置を示すマーク１１０２が当該プレビュー画像１１０１の左上角部に表示される。又、前記プレビュー画像１１０１の表示向きに対応するタブキー、つまり、「上辺を左向き」キー９０１ｂは、プレビュー画像画面７０３と同一画面となるように表示される。これにより、ユーザは、プレビュー画像１１０１の表示向きを、当該プレビュー画像１１０１の内容に応じて容易に変更して、適切な表示向きにすることが可能となる。そのため、ユーザが当該プレビュー画像１１０１の表示により誤解、混乱することを防止でき、ユーザによる誤った設定条件の入力と、ミスコピーの発生とを防止することが可能となる。
【００８９】
さて、ユーザが、図１１（Ａ）に示すプレビュー画像１１０１を見ながら、設定項目キー７０１のうち、例えば、「集約」キー７０１ａを選択すると（図５：Ｓ１０３ＹＥＳ）、画面表示受付手段４０１は、当該「集約」キー７０１ａの選択を受け付けて、当該プレビュー画面１１０１の表示向き（「縦向き」）に対応（適合）するとともに、当該「集約」に関する設定項目キーを、他の設定項目キーと比較してユーザにより優先的に選択されやすい位置に表示する。
【００９０】
図１１（Ｂ）は、本発明の実施形態における集約に関する設定項目キーが表示された画面の一例を示す図である。
【００９１】
例えば、図１１（Ｂ）に示すように、前記プレビュー画像１１０１の表示向きが縦向きであれば、縦向きに対応（適合）する設定項目キー、具体的には、２つの画像データを横方向に配置して１つの画像データに集約する「横配置２ｉｎ１集約」キー１１０３が、ユーザにより選択されやすい中央部に選択可能に表示される。当該設定項目キーは、縦向きである画像データを１つの画像データに収めるのに都合が良い設定項目キーである。一方、縦向きに対応しない（不適合な）設定項目キー、具体的には、２つの画像データを縦方向に配置して１つの画像データに集約する「縦配置２ｉｎ１集約」キー１１０４は、ユーザにより選択され難い側部に選択可能に表示される。これにより、ユーザの前記設定条件の入力を円滑に促進させることが可能となり、当該設定条件の入力ミス、ミスコピーの発生も防止することが出来る。
【００９２】
さて、ユーザが、コピー機能画面を見ながら、スタートキー２０５を選択すると（図５：Ｓ１０５ＹＥＳ）、画面表示受付手段４０１は、当該スタートキー２０５の選択を受け付け、プレビュー画像表示手段４０５からプレビュー画像の向き設定情報（例えば、「上辺を左向き」８０１ｂ）を取得する。そして、画面表示受付手段４０１は、取得したプレビュー画像の向き設定情報（例えば、「上辺を左向き」８０１ｂ）、つまり、プレビュー画像の表示向きを、画像形成させる画像データの向きとして受け付ける（図５：Ｓ１０６）。
【００９３】
そして、画面表示受付手段４０１は、全ての設定条件を複合機１００の制御手段４０２に通知する。当該通知を受けた制御手段４０２は、スタートキー２０５が選択されるまでに受け付けた設定条件に基づいて画像形成するように、画像形成手段４１２に指示する。当該指示を受けた画像形成手段４１２は、当該設定条件に基づいて画像形成を実行する（図５：Ｓ１０７）。
【００９４】
ここで、画像形成手段４１３が画像形成を実行する際に、画像データ記憶手段４０４から画像データを取得すると、当該画像データの向きを前記プレビュー画像の表示向きに変更する。例えば、プレビュー画像の表示向きが向き設定情報「上辺を左向き」である場合、「上辺を奥向き」である場合、画像データの原点を左上角部とし、画像データのＸ軸方向を下方向とし、画像データ７０４のＹ軸方向を右方向とする。そして、画像形成手段４１２は、当該画像データに基づいて画像形成する。その結果、ユーザが、前記プレビュー画像を見ながら設定条件を入力したとしても、当該設定条件が正確に画像形成に反映されて、ユーザは、前記プレビュー画像に対応する印刷物、即ち、自己の意図する印刷物を確実に手に入れることが可能となる。もちろん、ミスコピーが発生することもない。
【００９５】
尚、Ｓ１０２において、ユーザが、「プレビュー」キー７０２を選択しないで（図５：Ｓ１０２ＮＯ）、例えば、コピー機能画面７００内の所定の設定項目キー７０１を選択すると（図５：Ｓ１０３ＹＥＳ）、画面表示受付手段４０１が、当該設定項目キー７０１の選択を受け付けることとなる（図５：Ｓ１０４）。この場合は、プレビュー画像を用いて設定条件を入力する必要の無い場合、例えば、ユーザが、原稿台１０１に原稿を載置し、スタートキー２０５を選択して、単に複製物を出力させたい場合が該当する。
【００９６】
又、Ｓ１０５において、ユーザが、スタートキー２０５を選択しない場合は（図５：Ｓ１０５ＮＯ）、Ｓ１０２に戻って、前記画面表示受付手段４０１が、ユーザから「プレビュー」キーの選択（図５：Ｓ１０２）、設定項目キーの選択を受け付けることになる（図５：Ｓ１０３）。
【００９７】
このように、本発明の操作部１０２では、前記プレビュー画像の表示向きを規定する種々の向き設定情報を記憶する向き設定情報記憶手段４０６と、前記プレビュー画像が所定の表示向きでプレビュー画像画面に表示される際に、前記向き設定情報記憶手段から前記向き設定情報を取得する向き設定情報取得手段４０７と、前記プレビュー画像画面に、取得された向き設定情報をタブキーとして選択可能に表示するタブ表示受付手段４０８と、表示されるプレビュー画像の表示向きに対応する向き設定情報のタブキーを、前記プレビュー画像画面と同一画面になるように表示する表示調整手段４１０とを備える。
【００９８】
これにより、ユーザが、プレビュー画像の表示されるプレビュー画像画面と同一画面のタブキーを視認すれば、当該タブキーの向き設定情報が当該プレビュー画像の表示向きに対応することを容易に確認することが可能となる。そのため、当該プレビュー画像の表示向きを確認したユーザは、自己が行なった原稿の載置に誤りがあるのか、前記プレビュー画像画面に誤りがあるのか分からないという誤解、混乱を避けることが可能となり、ユーザへの視認性、操作性を向上させることが可能となる。
【００９９】
尚、本発明の実施形態では、前記向き設定情報として、「上辺を奥向き」と「上辺を左向き」とを挙げたが、これに限られるものでなく、例えば、「上辺を右向き」や「上辺を下向き」等であってもよい。又、前記向き設定情報として、プレビュー画像の回転角度を示すように設計しても構わない。
【０１００】
又、本発明の実施形態に係る操作部１０２では、複合機１００のコピーサービスの処理に関して採用したが、例えば、ファクシミリ送受信サービス、プリントサービス等に対しても採用できる。更に、本発明の実施形態では、操作部１０２を複合機１００に適用した場合について説明したが、タッチパネル３０１を有する操作部１０２（操作装置）を備えた各種画像形成装置、各種画像処理装置、各種画像加工装置、各種画像表示装置等に適用しても、同一の作用効果を奏する。
【０１０１】
又、本発明の実施形態では、操作部１０２が各手段を備えるよう構成したが、当該各手段を実現するプログラムを記憶媒体に記憶させ、当該記憶媒体を提供するよう構成しても構わない。当該構成では、前記プログラムを操作部１０２或いは複合機１００に読み出させ、その操作部１０２或いは複合機１００が前記各手段を実現する。その場合、前記記録媒体から読み出されたプログラム自体が本発明の作用効果を奏する。さらに、各手段が実行するステップをハードディスクに記憶させる方法として提供することも可能である。
【産業上の利用可能性】
【０１０２】
以上のように、本発明に係る操作装置及び操作方法は、複合機はもちろん、複写機、プリンタ等に有用であり、プレビュー画像の向きを容易に変更することが可能であり、ユーザの操作性を向上させることが可能な操作装置及び操作方法として有効である。
【符号の説明】
【０１０３】
１００  複合機
１０２  操作部
４０１  画面表示受付手段
４０２  制御手段
４０３  画像読取手段
４０４  画像データ記憶手段
４０５  プレビュー画像表示手段
４０６  向き設定情報記憶手段
４０７  向き設定情報取得手段
４０８  タブ表示受付手段
４０９  タブ表示画面記憶手段
４１０  表示調整手段
４１１  表示向き変更手段
４１２  画像形成手段
【図１】
0005296033.tif 000002
【図２】
0005296033.tif 000003
【図３】
0005296033.tif 000004
【図４】
0005296033.tif 000005
【図５】
0005296033.tif 000006
【図６】
0005296033.tif 000007
【図７】
0005296033.tif 000008
【図８】
0005296033.tif 000009
【図９】
0005296033.tif 000010
【図１０】
0005296033.tif 000011
【図１１】
0005296033.tif 000012